(57)【要約】      （修正有）【課題】既設の木造建物の木製構造体の接合強度を畳等床材を剥がすことなく高めることができる木造建物の木製構造体の接合構造を提供する。【解決手段】既設の木造建物の柱脚１または柱頭の外表面から、該柱脚または柱頭の下端面または上端面を貫いて土台３または梁の内部に達する通路と、該通路内に充填された接着剤層４を介して埋設された心金５とで構成する。【選択図】図１
0003147562.tif 000002
【実用新案登録請求の範囲】
【請求項１】
既設の木造建物の柱脚の外表面から、該柱脚の下端面を貫いて土台の内部にまで延びる通路と、
該通路内に充填された接着剤層を介して埋設された心金と
からなることを特徴とする木造建物の木製構造体の接合構造。
【請求項２】
既設の木造建物の柱頭の外表面から、該柱頭の上端面を貫いて桁もしくは梁の内部にまで延びる通路と、
該通路内に充填された接着剤層を介して埋設された心金と
からなることを特徴とする木造建物の木製構造体の接合構造。
【請求項３】
前記通路が、柱脚の外表面から土台、または柱頭から桁もしくは梁まで延びる１個または２個以上の直線状の通路である請求項１または２記載の接合構造。
【請求項４】
前記柱脚の外表面のうち、畳等床材の外表面位置より上に、前記１個または２個以上の通路と連通する凹所が設けられてなる請求項３記載の接合構造。
【請求項５】
前記凹所に充填部が設けられてなる請求項４記載の接合構造。
【請求項６】
前記心金が金属製または合成樹脂製の棒状体である請求項１〜５のいずれか１項に記載の接合構造。
【請求項７】
前記合成樹脂製の棒状体が、炭素繊維または繊維強化合成樹脂から形成された棒状体である請求項６記載の接合構造。
【請求項８】
請求項１〜７記載の木造建物の木製構造体の接合構造を形成するための通路穿設用ジグであって、柱脚または柱頭の外表面に押圧されるブロックと、当該ブロック内にドリルマシンのドリルビットを挿入するための孔が形成されてなることを特徴とする通路穿設用ジグ。
【考案の詳細な説明】
【技術分野】
【０００１】
本考案は既設の木造建物の木製構造体の接合構造および当該接合構造形成のための通路穿設用ジグに関する。さらに詳しくは、既設の木造建物の柱脚または柱頭から土台または桁もしくは梁の内部にまで達するように予め形成された通路内に接着剤を充填し、硬化して得られた接着剤層を介して埋設された心金とからなる木造建物の木製構造体の接合構造および当該接合構造形成のための通路穿設用ジグに関する。
【背景技術】
【０００２】
木造建物の接合部の強度不足に対処するために、柱や梁の木製構造体の接合部に金属製の補強金物を釘・ボルト・ナットなどの固着手段によって固着して補強している。
【０００３】
叙上のように、木造構造体の接合部を補強金物で補強する方法には、補強金物やボルト部に錆が生じるおそれがあるという問題があるとともに、既設の木造建物に設置するためには多くの場合、床材等を一時的に撤去しなければ接合部を補強することが難しい。
【０００４】
金属の錆という課題を解決するために、特許文献１記載の発明では、図６に示されるように、既設の基礎Ｂ上に設置された土台３に構成された木造建造物の柱、梁等の木製構造物１にＦＲＰ製の補強板５を接着してその構造物１を補強するに際し、補強板１５を接着剤４で接着する前に、構造物１の劣化部分を除去し、除去した部分に補強用短繊維入りの補修材Ｅを充填する方法を提案している。
【０００５】
この方法では、既設木造建造物の壁や床、天井、屋根等を補強することも可能であるが、構造物としての基本的な強度を向上したり、低下した強度を回復させたりするために、木造建造物において骨組みを構成している柱や梁等の木製構造物を補強することが提案あされている。
【０００６】
木製構造物をより効果的に補強するために、補修材充填箇所を含む、構造物の周長の半分以上にわたって補強板を配設し、該補強板を接着して構造材を補強すること、とりわけ、構造材の全周にわたって延びる補強板で補強することで、補強効果を高め、構造物の補強部分を全面にわたって覆うことで、木材表面の露出を回避し、木材の腐食による劣化を防止することを提案している。
【０００７】
このように、特許文献１記載の発明では、ボルト等を用いることなく、接着により補強でき、補強板に働く応力は接着面の全域で受けることになるから応力集中は発生しにくく、構造物が効率よく補強される。
【０００８】
また、特許文献２記載の発明では、木造住宅の壁改修構造において、図７に示されるように、壁を構成する柱部材の柱脚部と土台とを補強金物１４を配置して補強している。この補強金物１４は、水平取付片１４ａの一辺に垂直取付片１４ｂを立設し、そのコーナー部にリブ１４ｃを１または２以上設けた略Ｌ字形の金属部材で、水平取付片１４ａおよび垂直取付片１４ｂに取付孔１４ｄが複数個穿設されている。
【０００９】
【特許文献１】特開２００２−２７６１６５号公報
【特許文献２】特許第３８８７２４６号公報
【考案の開示】
【考案が解決しようとする課題】
【００１０】
しかしながら、特許文献１記載の発明では木造構造体を構成する柱の外表面に補強板を設けている構成であることから、柱と梁とを組み合わせた木造構造体としての接合部の強度の向上が期待できず、そのうえ、柱の外表面が被覆されるため、客室や応接間に設けられた柱の場合には目立ってしまうという問題がある。一方、特許文献２記載の発明では、柱と梁の外面に釘によりＬ字状の補強金物が取り付けられるため、さび（錆）の発生が避けられず、そのうえ、補強工事を行う際に、一旦、畳等床材を剥がす必要がある。
【００１１】
そこで、本考案は、既設の木造建物の接合部強度を高めるため畳等を剥がすことなく施工が可能な柱脚・土台の接合構造を提供することを目的とする。
【課題を解決するための手段】
【００１２】
本考案の一態様にかかわる木造建物の木製構造体の接合構造は、既設の木造建物の柱脚の外表面から、該柱脚の下端面を貫いて土台の内部にまで延びる通路と、
該通路内に充填された接着剤層を介して埋設された心金と
からなることを特徴としている。
【００１３】
本考案の他の態様にかかわる既設の木造建物の柱頭の外表面から、該柱頭の上端面を貫いて桁もしくは梁の内部にまで延びる通路と、
該通路内に充填された接着剤層を介して埋設された心金と
からなることを特徴としている。
【００１４】
また、前記通路が、柱脚の外表面から土台、または柱頭から桁もしくは梁まで延びる１個または２個以上の直線状の通路であることが好ましい。
【００１５】
また、前記柱脚の外表面のうち、畳等床材の外表面位置より上に、前記１個または２個以上の通路と連通する凹所が設けられてなることが好ましい。
【００１６】
また、前記凹所に充填部が設けられてなることが好ましい。
【００１７】
また、前記心金が金属製または合成樹脂製の棒状体であることが好ましい。
【００１８】
また、本考案の他の態様にかかわる木造建物の木製構造体の接合構造を形成するための通路穿設用ジグは、柱脚または柱頭の外表面に押圧されるブロックと、当該ブロック内にドリルマシンのドリルビットを挿入するための孔が形成されてなることを特徴としている。
【考案の効果】
【００１９】
本考案の柱脚・土台および柱頭・桁もしくは梁接合構造によれば、既設の木造建物の柱脚または柱頭の外表面から、該柱脚または柱頭の下端面または上端面を貫いて土台または桁もしくは梁の内部に達する通路と、該通路内に充填された接着剤層を介して埋設された心金とから構成されているため、土台（または梁）から柱脚（または柱頭）の抜けを防止することができる。すなわち、大きな地震が発生しても、柱脚（または柱頭）が土台（または梁）から抜けることがなく、そのうえ、補強工事の際に、畳等床材を剥がす必要がないので、補強工事を容易に行える。
【考案を実施するための最良の形態】
【００２０】
本考案の柱脚・土台接合構造について、添付図面を参照しつつ以下に詳細に説明する。
【００２１】
図１は本考案の一実施の形態にかかわる木造建物の木製構造体の接合構造を示す断面説明図、図２は図１の射視説明図、図３は図１に示した通路を穿設するためのジグの一例を示した説明図、図４は図１の木製建物の接合構造を適用した場合の筋交い材の適用例を示す説明図、図５は図４の要部説明図である。
【００２２】
図１〜２を参照すると、本実施の木造建物の接合構造１０は、既設の木造建物の柱脚１の外表面１ａから、該柱脚１の下端面１ｂを貫いて土台３の内部に達する通路Ｃと、該通路Ｃ内に充填された接着剤層４を介して埋設された心金５とから構成されている。
【００２３】
本実施の形態においては、前記通路Ｃは、柱脚１の外表面１ａから、基礎Ｂ上に設置された土台３まで延びる２つの通路Ｃが図示されている（図２参照）が、通路Ｃの数は通路Ｃの大きさに依存して適宜決められるものであり、２つに限られることはなく、１つでもよいし、３以上であってもよい。通路Ｃは図１に示されるように、接合強度を高めるために柱脚１に対して角度θをなして形成されるのである。
【００２４】
この場合、図３に示したように、通路Ｃの柱脚１に対する角度と等しい角度θをもつ孔Ｈが形成されたブロックＧから構成されたガイドを柱脚１に押圧しながらブロックＧの孔Ｈにドリルビットを挿入してドリルマシンを動作すれば、柱脚１に対して所望の角度θをなすようにすることができる。
【００２５】
柱脚１と土台３に通路Ｃが形成されると、通路Ｃの容積の略２／３の接着剤を充填し、ついで、心金５をゆっくりと通路Ｃ内に挿入すると、約３時間で接着剤が硬化し、通路Ｃ内に接着剤層４を介して心金が設けられた接合構造が得られる。
【００２６】
本実施の形態において、接着剤層４の材料としては、たとえばエポキシ樹脂やメチルメタクリル樹脂、ビニルエステル樹脂、不飽和ポリエステル樹脂、フェノール樹脂等を使用することができる。また、心金５の素材としては、ボルトなどの金属製の棒状体のほか炭素繊維やアラミド繊維等の繊維強化合成樹脂（ＦＲＰ）から形成された棒状体を採用することができる。
【００２７】
ここで、図１および２に示されるように、柱脚１の外表面１ａの畳よりも上の位置に、通路Ｃと連通する凹所Ｒが設けられており、この凹所Ｒから、前述のドリルマシンのドリルビットを挿通するのである。そして、この凹所Ｒは、美観上の観点からパテなどの充填物を設けることによって塞ぐようにする。
【００２８】
なお、叙上の実施の形態は、木造建物の柱脚と土台とのあいだの接合構造について述べたが、本考案の木造建物の木製構造体の接合構造１０は、柱脚と土台との間のみならず、柱頭と梁（または桁）との間にも適用されることはいうまでもない。
【００２９】
そして、本考案の木造建物の木製構造体の接合構造１０を採用すれば、図４、５に示されるように、畳７の上面よりも上から通路Ｃを形成することができるため、補強工事の際に、床板１１上に配設された畳７などの床材を剥がす必要がなく、補強工事を容易に行えるという大きな利点があるが、さらなる利点として、接合構造１０によって柱脚と土台の接合強度が向上して柱が土台から抜けることが防止されるので、筋交い８も床板１１上に配設された畳７を剥がすことなく、畳７の上方に筋交い８の下端部（図５参照）を釘や螺子などの固着手段９により柱１の脚部に取り付け、筋交い８の上端部を鴨居２の下方の柱１の頭部に取り付けることが可能になることをあげることができる。
【図面の簡単な説明】
【００３０】
【図１】本考案の実施の形態にかかわる木造建物の木製構造体の接合構造を示す断面説明図である。
【図２】図１の射視説明図である。
【図３】図１に示した通路を穿設するためのジグの一例を示した説明図である。
【図４】図１の木造建物の木製構造体の接合構造を適用した場合の筋交い材の適用例を示す説明図である。
【図５】図４の要部説明図である。
【図６】従来の柱脚・土台接合構造の一例を示す説明図である。
【図７】従来の柱脚を補強するための金具を示す説明図である。
【符号の説明】
【００３１】
１  柱脚
２  鴨居
３  土台
４  接着剤層
５  心金（ボルト）
６  根太
７  畳
８  筋交い
９  固着手段
１０  木造建物の木製構造体の接合構造
１１  床板
【図１】
0003147562.tif 000003
【図２】
0003147562.tif 000004
【図３】
0003147562.tif 000005
【図４】
0003147562.tif 000006
【図５】
0003147562.tif 000007
【図６】
0003147562.tif 000008
【図７】
0003147562.tif 000009